(57)【要約】【課題】電気泳動表示装置において、低消費電力で高品位な画像を表示する。【解決手段】電気泳動表示装置は、第１のデータ線（５１）からの画像信号を、走査信号に応じて出力する第１のスイッチング素子（２４ａ）と、第１のスイッチング素子からの画像信号を保持する第１のメモリ回路（２７ａ）と、第１の制御線（９４）からの第１の制御電位を、第１のメモリ回路に保持された画像信号に応じて、画素電極（２１）に出力する第２のスイッチング素子（２６ａ）と、第２のデータ線（５２）からの反転画像信号を、走査信号に応じて出力する第３のスイッチング素子（２４ｂ）と、第３のスイッチング素子からの反転画像信号を保持する第２のメモリ回路（２７ｂ）と、第２の制御線（９５）からの第２の制御電位を、第２のメモリ回路に保持された反転画像信号に応じて、画素電極に出力する第４のスイッチング素子（２６ｂ）とを備える。【選択図】図２
2010102299.tif 000002
【特許請求の範囲】
【請求項１】
電気泳動素子を一対の基板間に挟持してなり、複数の画素からなる表示部を備えた電気泳動表示装置であって、
前記画素毎に形成された画素電極と、
前記画素電極に前記電気泳動素子を介して対向する共通電極と、
走査信号を供給する走査線と、
画像信号を供給する第１のデータ線と、
前記画素毎に設けられ、前記第１のデータ線から入力される前記画像信号を、前記走査信号に応じて出力する第１のスイッチング素子と、
前記第１のスイッチング素子から出力される前記画像信号を保持する第１のメモリ回路と、
第１の制御電位を供給する第１の制御線と、
前記画素毎に設けられ、前記第１の制御線から入力される前記第１の制御電位を、前記第１のメモリ回路に保持された前記画像信号に応じて、前記画素電極に出力する第２のスイッチング素子と、
前記画像信号を基準電位に対して極性反転させた反転画像信号を供給する第２のデータ線と、
前記画素毎に設けられ、前記第２のデータ線から入力される前記反転画像信号を、前記走査信号に応じて出力する第３のスイッチング素子と、
前記第３のスイッチング素子から出力される前記反転画像信号を保持する第２のメモリ回路と、
第２の制御電位を供給する第２の制御線と、
前記画素毎に設けられ、前記第２の制御線から入力される前記第２の制御電位を、前記第２のメモリ回路に保持された前記反転画像信号に応じて、前記画素電極に出力する第４のスイッチング素子と
を備えることを特徴とする電気泳動表示装置。
【請求項２】
前記第１のスイッチング素子は、（ｉ）前記第１のデータ線に電気的に接続された第１の入力側端子、（ｉｉ）前記走査線に電気的に接続された第１のゲート電極、及び（ｉｉｉ）第１の出力側端子を有する第１のトランジスタからなり、
前記第１のメモリ回路は、前記第１の出力側端子に電気的に接続された第１の容量素子を含んでなり、
前記第２のスイッチング素子は、（ｉ）前記第１の制御線に電気的に接続された第２の入力側端子、（ｉｉ）前記第１の出力側端子及び前記第１の容量素子に電気的に接続された第２のゲート電極、及び（ｉｉｉ）前記画素電極に電気的に接続された第２の出力側端子を有する第２のトランジスタからなり、
前記第３のスイッチング素子は、（ｉ）前記第２のデータ線に電気的に接続された第３の入力側端子、（ｉｉ）前記走査線に電気的に接続された第３のゲート電極、及び（ｉｉｉ）第３の出力側端子を有する第３のトランジスタからなり、
前記第２のメモリ回路は、前記第３の出力側端子に電気的に接続された第２の容量素子を含んでなり、
前記第４のスイッチング素子は、（ｉ）前記第２の制御線に電気的に接続された第４の入力側端子、（ｉｉ）前記第３の出力側端子及び前記第２の容量素子に電気的に接続された第４のゲート電極、及び（ｉｉｉ）前記画素電極に電気的に接続された第４の出力側端子を有する第４のトランジスタからなる
ことを特徴とする請求項１に記載の電気泳動表示装置。
【請求項３】
前記第１、第２、第３及び第４のトランジスタの各々は、Ｎチャネル型のトランジスタであることを特徴とする請求項２に記載の電気泳動表示装置。
【請求項４】
前記第１、第２、第３及び第４のトランジスタの各々は、Ｐチャネル型のトランジスタであることを特徴とする請求項２に記載の電気泳動表示装置。
【請求項５】
電気泳動素子を一対の基板間に挟持してなり、複数の画素からなる表示部を備えており、前記画素毎に形成された画素電極と、前記画素電極に前記電気泳動素子を介して対向する共通電極と、走査信号を供給する走査線と、画像信号を供給する第１のデータ線と、前記画素毎に設けられ、前記第１のデータ線から入力される前記画像信号を、前記走査信号に応じて出力する第１のスイッチング素子と、前記第１のスイッチング素子から出力される前記画像信号を保持する第１のメモリ回路と、第１の制御電位を供給する第１の制御線と、前記画素毎に設けられ、前記第１の制御線から入力される前記第１の制御電位を、前記第１のメモリ回路に保持された前記画像信号に応じて、前記画素電極に出力する第２のスイッチング素子と、前記画像信号を基準電位に対して極性反転させた反転画像信号を供給する第２のデータ線と、前記画素毎に設けられ、前記第２のデータ線から入力される前記反転画像信号を、前記走査信号に応じて出力する第３のスイッチング素子と、前記第３のスイッチング素子から出力される前記反転画像信号を保持する第２のメモリ回路と、第２の制御電位を供給する第２の制御線と、前記画素毎に設けられ、前記第２の制御線から入力される前記第２の制御電位を、前記第２のメモリ回路に保持された前記反転画像信号に応じて、前記画素電極に出力する第４のスイッチング素子とを備える電気泳動表示装置を駆動する電気泳動表示装置の駆動方法であって、
前記第１のデータ線から前記第１のスイッチング素子を介して前記第１のメモリ回路に前記画像信号を書き込むと共に、前記第２のデータ線から前記第３のスイッチング素子を介して前記第２のメモリ回路に前記反転画像信号を書き込む第１の工程と、
（ｉ）前記第１の制御線から前記第１の制御電位を前記第２のスイッチング素子を介して前記画素電極に供給する、又は（ｉｉ）前記第２の制御線から前記第２の制御電位を前記第４のスイッチング素子を介して前記画素電極に供給すると共に、前記共通電極に共通電位を供給することで、前記画素電極及び前記共通電極間に電圧を印加することにより前記表示部に画像を表示する第２の工程と
を含むことを特徴とする電気泳動表示装置の駆動方法。
【請求項６】
前記第２の工程において、
（ｉ）前記第１の制御電位として第１電位及び該第１電位より低い第２電位のいずれか一方の電位を前記第２のスイッチング素子を介して前記画素電極に供給する、又は（ｉｉ）前記第２の制御電位として前記第１電位及び前記第２電位のいずれか一方の電位を前記第４のスイッチング素子を介して前記画素電極に供給すると共に、
前記共通電位として前記第１電位と前記第２電位とを所定の周期で繰り返すように供給する
ことを特徴とする請求項５に記載の電気泳動表示装置の駆動方法。
【請求項７】
前記第２の工程の後に、
前記第１の制御線及び前記第２の制御線の一方に前記共通電位と異なる電位を供給することで、前記複数の画素のうち階調を書き換えるべき画素における前記画素電極及び前記共通電極間に電圧を印加すると共に、（ｉ）前記第１の制御線及び前記第２の制御線の他方に前記共通電位と同一の電位を供給する、又は（ｉｉ）前記他方を電気的に切断されたハイインピーダンス状態とすることで、前記複数の画素のうち階調を書き換えるべきでない画素における前記画素電極及び前記共通電極間に電圧を印加しないことにより、前記表示部に表示された画像を部分的に書き換える第３の工程を含む
ことを特徴とする請求項５に記載の電気泳動表示装置の駆動方法。
【請求項８】
請求項１から４のいずれか一項に記載の電気泳動表示装置を備えることを特徴とする電子機器。
【発明の詳細な説明】
【技術分野】
【０００１】
本発明は、電気泳動表示装置及びその駆動方法並びに電子機器の技術分野に関する。
【背景技術】
【０００２】
この種の電気泳動表示装置は、複数の画素によって次のように表示を行う表示部を有する。各画素では、画素スイッチング素子を介してメモリ回路に画像信号を書き込んだ後、書き込まれた画像信号に応じた電位により画素電極が駆動され、共通電極との間に電位差が生じる。これによって、画素電極及び共通電極間の電気泳動素子に含まれる電気泳動粒子を、画素電極側或いは共通電極側に移動させることにより表示を行う。例えば特許文献１には、このような画素について、メモリ回路としてＤＲＡＭ（Dynamic Random Access Memory）を含む構成やＳＲＡＭ（Static Random Access Memory）を含む構成が開示されている。例えば特許文献２には、各画素に、２値表示信号を保持するメモリ素子と、メモリ素子に保持された信号により端子間をオンオフするスイッチ素子とを備えたアクティブマトリクス型表示装置が開示されている。
【０００３】
一方、この種の電気泳動表示装置では、上述したように画素電極及び共通電極間に電位差を与えて電気泳動粒子を移動させることで表示を行うため、既に表示している画像（即ち、元画像）から次に表示する画像（即ち、新画像）に表示を切り替える際に、残像が発生し易い。そこで、この種の電気泳動表示装置では、元画像から新画像に表示を切り替える際、新画像を表示する前に、例えば全黒画像や全白画像、或いは反転画像などを表示部に短期間表示させる予備表示動作が行われる（例えば特許文献３参照）。このような予備表示動作によって、残像の発生を抑制することができる。
【０００４】
【特許文献１】特開２００３−８４３１４号公報
【特許文献２】特開平８−１９４２０５号公報
【特許文献３】特開２００７−２０６４７１号公報
【発明の開示】
【発明が解決しようとする課題】
【０００５】
しかしながら、上述した特許文献１に開示された技術では、上述した予備表示動作を行う際（即ち、元画像から新画像に表示を切り替えるたびに）、例えば全黒画像や全白画像或いは反転画像等に係る画像信号を各画素のメモリ回路に書き込む必要があるため、電気泳動表示装置の消費電力が高くなってしまうという技術的問題点がある。
【０００６】
本発明は、例えば上述した問題点に鑑みなされたものであり、例えば、高品位な画像を表示できると共に、消費電力を低減可能な電気泳動表示装置及びその駆動方法並びに該電気泳動表示装置を備えた電子機器を提供することを課題とする。
【課題を解決するための手段】
【０００７】
本発明の電気泳動表示装置は上記課題を解決するために、電気泳動素子を一対の基板間に挟持してなり、複数の画素からなる表示部を備えた電気泳動表示装置であって、前記画素毎に形成された画素電極と、前記画素電極に前記電気泳動素子を介して対向する共通電極と、走査信号を供給する走査線と、画像信号を供給する第１のデータ線と、前記画素毎に設けられ、前記第１のデータ線から入力される前記画像信号を、前記走査信号に応じて出力する第１のスイッチング素子と、前記第１のスイッチング素子から出力される前記画像信号を保持する第１のメモリ回路と、第１の制御電位を供給する第１の制御線と、前記画素毎に設けられ、前記第１の制御線から入力される前記第１の制御電位を、前記第１のメモリ回路に保持された前記画像信号に応じて、前記画素電極に出力する第２のスイッチング素子と、前記画像信号を基準電位に対して極性反転させた反転画像信号を供給する第２のデータ線と、前記画素毎に設けられ、前記第２のデータ線から入力される前記反転画像信号を、前記走査信号に応じて出力する第３のスイッチング素子と、前記第３のスイッチング素子から出力される前記反転画像信号を保持する第２のメモリ回路と、第２の制御電位を供給する第２の制御線と、前記画素毎に設けられ、前記第２の制御線から入力される前記第２の制御電位を、前記第２のメモリ回路に保持された前記反転画像信号に応じて、前記画素電極に出力する第４のスイッチング素子とを備える。
【０００８】
本発明の電気泳動表示装置によれば、その動作時には、一対の基板間に挟持された電気泳動素子に、画素毎に、一対の基板のうち例えば素子基板である一方の基板上に画素毎に形成された画素電極と、一対の基板のうち例えば対向基板である他方の基板上に例えばベタ状に設けられた例えば共通電極との間に画像信号に応じた電圧が印加されることにより、表示部に画像が表示される。
【０００９】
より具体的には、例えばマイクロカプセルである電気泳動素子の内部には、電気泳動粒子として、例えば負に帯電された複数の白色粒子と正に帯電された複数の黒色粒子とが含まれている。電気泳動素子では、画素電極及び共通電極間に印加される電圧に応じて、負に帯電された複数の白色粒子及び正に帯電された複数の黒色粒子のうち一方が画素電極側に移動（即ち、泳動）し、他方が共通電極側に移動する。これにより、移動された電気泳動粒子に応じた画像が一対の基板のうち他方の基板側（即ち、共通電極側）に表示される。
【００１０】
画像信号は、画素毎に、第１のデータ線によって供給される。また、第２のデータ線からは、画素毎に、画像信号を基準電位に対して極性反転させた反転画像信号（言い換えれば、画像信号と相補関係にある信号、即ち、画像信号の電位を、異なる色調を表示させるための電位に反転させた信号、例えば、画像信号の電位がハイレベル（例えば１５Ｖ）である場合には、ローレベル（例えば０Ｖ）の電位を有すると共に、画像信号の電位がローレベル（例えば０Ｖ）である場合には、ハイレベル（例えば１５Ｖ）の電位を有する信号）が供給される。第１及び第２のデータ線は、例えば一対の基板のうち一方の基板上に、走査信号を供給する走査線と互いに交差するように設けられている。画素電極は、例えば第１及び第２のデータ線と走査線との交差に対応してマトリクス状に複数設けられている。
【００１１】
本発明では特に、画素毎に、４つのスイッチング素子（即ち、第１、第２、第３及び第４のスイッチング素子）と、２つのメモリ回路（即ち、第１及び第２のメモリ回路）とを備えている。第１のデータ線に供給される画像信号は、走査線に供給される走査信号のタイミングに応じて、例えばトランジスタからなる第１のスイッチング素子によって、例えば容量素子を含んでなる第１のメモリ回路に出力される。これにより、第１のメモリ回路に画像信号が保持される。第２のスイッチング素子は、第１のメモリ回路に保持された画像信号に応じて、第１の制御線から入力される第１の制御電位を画素電極に出力する。例えば、第１のメモリ回路に保持された画像信号の電位がハイレベルである場合には、第２のスイッチング素子はオン状態とされ、第１の制御線から例えばハイレベルの電位を有する第１の制御電位が第２のスイッチング素子を介して画素電極に供給され、第１のメモリ回路に保持された画像信号の電位がローレベルである場合には、第２のスイッチング素子はオフ状態とされ、第１の制御線と画素電極との間は第２のスイッチング素子によって電気的に切断される。一方、第２のデータ線に供給される反転画像信号は、走査線に供給される走査信号のタイミングに応じて、例えばトランジスタからなる第３のスイッチング素子によって、例えば容量素子を含んでなる第２のメモリ回路に出力される。これにより、第２のメモリ回路に反転画像信号が保持される。第４のスイッチング素子は、第２のメモリ回路に保持された反転画像信号に応じて、第２の制御線から入力される第２の制御電位を画素電極に出力する。例えば、第２のメモリ回路に保持された反転画像信号の電位がハイレベルである場合には、第４のスイッチング素子はオン状態とされ、第２の制御線から例えばローレベルの電位を有する第２の制御電位が第４のスイッチング素子を介して画素電極に供給され、第２のメモリ回路に保持された反転画像信号の電位がローレベルである場合には、第４のスイッチング素子はオフ状態とされ、第２の制御線と画素電極との間は第４のスイッチング素子によって電気的に切断される。ここで、反転画像信号は画像信号を基準電位に対して極性反転させた信号であり、第２のスイッチング素子は第１のメモリ回路に保持された画像信号によってオン状態及びオフ状態が切り換えられ、第４のスイッチング素子は第２のメモリ回路に保持された反転画像信号によってオン状態及びオフ状態が切り換えられるので、第２のスイッチング素子と第４のスイッチング素子とではオン状態及びオフ状態が互いに異なる。即ち、第２のスイッチング素子がオン状態の場合には、第４のスイッチング素子はオフ状態となり、第２のスイッチング素子がオフ状態の場合には、第４のスイッチング素子はオン状態となる。
【００１２】
よって、例えばハイレベルの電位を有する第１の制御電位又は例えばローレベルの電位を有する第２の制御電位を、画像信号に応じて画素電極に供給することが可能となる。
【００１３】
更に、第１の制御電位及び第２の制御電位を制御することにより、第１のメモリ回路に保持された画像信号及び第２のメモリ回路に保持された反転画像信号を書き換えることなく、例えば全黒画像や全白画像或いは反転画像等の予備表示動作に係る画像が表示部に表示されるように、画素電極の電位を制御することができる。例えば、第１及び第２の制御電位のいずれもがハイレベルの電位を有するように制御されることで、表示部に例えば全黒画像を表示することができる。或いは、例えば、第１及び第２の制御電位のいずれもがローレベルの電位を有するように制御されることで、表示部に例えば全白画像を表示することができる。或いは、例えば、第１の制御電位がローレベルの電位を有するように制御されると共に第２の制御電位がハイレベルの電位を有するように制御されることで、表示部に例えば反転画像を表示することができる。よって、第１のメモリ回路に予備表示動作に係る画像信号を新たに書き込むことなく、或いは、第２のメモリ回路に予備表示動作に係る反転画像信号を新たに書き込むことなく、表示部に例えば全黒画像や全白画像或いは反転画像等を表示する予備表示動作を行うことが可能となる。従って、残像を低減できると共に、予備表示動作に係る消費電力を節約でき、電気泳動表示装置の消費電力を低減できる。
【００１４】
以上説明したように、本発明の電気泳動表示装置によれば、残像が低減された高品位な画像を表示できると共に、消費電力を低減できる。
【００１５】
本発明の電気泳動表示装置の一態様では、前記第１のスイッチング素子は、（ｉ）前記第１のデータ線に電気的に接続された第１の入力側端子、（ｉｉ）前記走査線に電気的に接続された第１のゲート電極、及び（ｉｉｉ）第１の出力側端子を有する第１のトランジスタからなり、前記第１のメモリ回路は、前記第１の出力側端子に電気的に接続された第１の容量素子を含んでなり、前記第２のスイッチング素子は、（ｉ）前記第１の制御線に電気的に接続された第２の入力側端子、（ｉｉ）前記第１の出力側端子及び前記第１の容量素子に電気的に接続された第２のゲート電極、及び（ｉｉｉ）前記画素電極に電気的に接続された第２の出力側端子を有する第２のトランジスタからなり、前記第３のスイッチング素子は、（ｉ）前記第２のデータ線に電気的に接続された第３の入力側端子、（ｉｉ）前記走査線に電気的に接続された第３のゲート電極、及び（ｉｉｉ）第３の出力側端子を有する第３のトランジスタからなり、前記第２のメモリ回路は、前記第３の出力側端子に電気的に接続された第２の容量素子を含んでなり、前記第４のスイッチング素子は、（ｉ）前記第２の制御線に電気的に接続された第４の入力側端子、（ｉｉ）前記第３の出力側端子及び前記第２の容量素子に電気的に接続された第４のゲート電極、及び（ｉｉｉ）前記画素電極に電気的に接続された第４の出力側端子を有する第４のトランジスタからなる。
【００１６】
この態様によれば、表示部の各画素における構成を比較的簡易な構成とすることができ、実践上有利である。
【００１７】
本発明の電気泳動表示装置の他の態様では、前記第１、第２、第３及び第４のトランジスタの各々は、Ｎチャネル型のトランジスタである。
【００１８】
この態様によれば、第１、第２、第３及び第４のトランジスタを、アモルファス半導体を用いて容易に形成することが可能となる。よって、製造コストを低減できると共に、信頼性を向上させることができる。尚、アモルファス半導体を用いてＰチャネル型のトランジスタを形成することは、アモルファス半導体を用いてＮチャネル型のトランジスタを形成することと比較して困難である。
【００１９】
本発明の電気泳動表示装置の他の態様では、前記第１、第２、第３及び第４のトランジスタの各々は、Ｎチャネル型のトランジスタである。
【００２０】
この態様によれば、第１、第２、第３及び第４のトランジスタの全てをＮチャネル型のトランジスタとして容易に形成することができるので、製造コストを低減できると共に、信頼性を向上させることができる。
【００２１】
本発明に係る電気泳動表示装置の駆動方法は上記課題を解決するために、電気泳動素子を一対の基板間に挟持してなり、複数の画素からなる表示部を備えており、前記画素毎に形成された画素電極と、前記画素電極に前記電気泳動素子を介して対向する共通電極と、走査信号を供給する走査線と、画像信号を供給する第１のデータ線と、前記画素毎に設けられ、前記第１のデータ線から入力される前記画像信号を、前記走査信号に応じて出力する第１のスイッチング素子と、前記第１のスイッチング素子から出力される前記画像信号を保持する第１のメモリ回路と、第１の制御電位を供給する第１の制御線と、前記画素毎に設けられ、前記第１の制御線から入力される前記第１の制御電位を、前記第１のメモリ回路に保持された前記画像信号に応じて、前記画素電極に出力する第２のスイッチング素子と、前記画像信号を基準電位に対して極性反転させた反転画像信号を供給する第２のデータ線と、前記画素毎に設けられ、前記第２のデータ線から入力される前記反転画像信号を、前記走査信号に応じて出力する第３のスイッチング素子と、前記第３のスイッチング素子から出力される前記反転画像信号を保持する第２のメモリ回路と、第２の制御電位を供給する第２の制御線と、前記画素毎に設けられ、前記第２の制御線から入力される前記第２の制御電位を、前記第２のメモリ回路に保持された前記反転画像信号に応じて、前記画素電極に出力する第４のスイッチング素子とを備える電気泳動表示装置を駆動する電気泳動表示装置の駆動方法であって、前記第１のデータ線から前記第１のスイッチング素子を介して前記第１のメモリ回路に前記画像信号を書き込むと共に、前記第２のデータ線から前記第３のスイッチング素子を介して前記第２のメモリ回路に前記反転画像信号を書き込む第１の工程と、（ｉ）前記第１の制御線から前記第１の制御電位を前記第２のスイッチング素子を介して前記画素電極に供給する、又は（ｉｉ）前記第２の制御線から前記第２の制御電位を前記第４のスイッチング素子を介して前記画素電極に供給すると共に、前記共通電極に共通電位を供給することで、前記画素電極及び前記共通電極間に電圧を印加することにより前記表示部に画像を表示する第２の工程とを含む。
【００２２】
本発明に係る電気泳動表示装置の駆動方法によれば、上述した本発明に係る電気泳動表示装置を好適に駆動することができる。ここで特に、第２の工程において、第１の制御電位及び第２の制御電位を制御することにより、第１のメモリ回路に保持された画像信号及び第２のメモリ回路に保持された反転画像信号を書き換えることなく、例えば全黒画像や全白画像或いは反転画像等の予備表示動作に係る画像が表示部に表示されるように、画素電極の電位を制御することができる。よって、残像を低減できると共に、予備表示動作に係る消費電力を節約できる。即ち、高品位な画像を表示できると共に、消費電力を低減できる。
【００２３】
本発明に係る電気泳動表示装置の駆動方法の一態様では、前記第２の工程において、（ｉ）前記第１の制御電位として第１電位及び該第１電位より低い第２電位のいずれか一方の電位を前記第２のスイッチング素子を介して前記画素電極に供給する、又は（ｉｉ）前記第２の制御電位として前記第１電位及び前記第２電位のいずれか一方の電位を前記第４のスイッチング素子を介して前記画素電極に供給すると共に、前記共通電位として前記第１電位と前記第２電位とを所定の周期で繰り返すように供給する。
【００２４】
この態様によれば、第２の工程において、画素電極及び共通電極間には、第１電位と第２電位との電位差が、所定の周期で繰り返して印加される。言い換えれば、第２の工程では、画素電極及び共通電極間に第１電位と第２電位との電位差が印加される期間と、画素電極及び共通電極間に電位差が印加されない期間とが繰り返される。ここで、本明細書では、共通電極に、共通電位として第１電位と第２電位とを繰り返すように供給することを「コモン振り駆動」と適宜称する。即ち、第２の工程では、コモン振り駆動を行う。よって、第２の工程において、画素電極及び共通電極間に第１電位と第２電位との電位差を印加することができ、電気泳動素子中の電気泳動粒子を確実に移動させることができる（言い換えれば、例えばマイクロカプセルである電気泳動素子の被膜に固着した電気泳動粒子を引き剥がすことができる）。更に、コモン振り駆動によれば、画素電極及び共通電極に印加する電位をハイレベルとローレベルとの２値により制御可能であるため、低電圧化が図れると共に、回路構成をシンプルにすることができる。加えて、各スイッチング素子として薄膜トランジスタ（ＴＦＴ：Thin Film Transistor）を用いた場合には、低電圧駆動によりＴＦＴの信頼性を確保することができるというメリットがある。
【００２５】
本発明に係る電気泳動表示装置の駆動方法の他の態様では、前記第２の工程の後に、前記第１の制御線及び前記第２の制御線の一方に前記共通電位と異なる電位を供給することで、前記複数の画素のうち階調を書き換えるべき画素における前記画素電極及び前記共通電極間に電圧を印加すると共に、（ｉ）前記第１の制御線及び前記第２の制御線の他方に前記共通電位と同一の電位を供給する、又は（ｉｉ）前記他方を電気的に切断されたハイインピーダンス状態とすることで、前記複数の画素のうち階調を書き換えるべきでない画素における前記画素電極及び前記共通電極間に電圧を印加しないことにより、前記表示部に表示された画像を部分的に書き換える第３の工程を含む。
【００２６】
この態様によれば、第３の工程によって、表示部に表示された画像を部分的に書き換える（即ち、複数の画素のうち書き換えるべき画素のみにおける画素電極及び共通電極間に電圧を印加する）ので、消費電力を低減できる。
【００２７】
本発明の電子機器は上記課題を解決するために、上述した本発明の電気泳動表示装置を備える。
【００２８】
本発明の電子機器によれば、上述した本発明の電気泳動表示装置を具備してなるので、消費電力が低減され、高品位な表示を行うことが可能な、例えば、腕時計、電子ペーパー、電子ノート、携帯電話、携帯用オーディオ機器などの各種電子機器を実現できる。
【００２９】
本発明の作用及び他の利得は次に説明する実施するための最良の形態から明らかにされる。
【発明を実施するための最良の形態】
【００３０】
以下では、本発明の実施形態について図を参照しつつ説明する。
【００３１】
＜第１実施形態＞
第１実施形態に係る電気泳動表示装置について、図１から図１０を参照して説明する。
【００３２】
先ず、本実施形態に係る電気泳動表示装置の全体構成について、図１及び図２を参照して説明する。
【００３３】
図１は、本実施形態に係る電気泳動表示装置の全体構成を示すブロック図である。
【００３４】
図１において、本実施形態に係る電気泳動表示装置１は、表示部３と、コントローラ１０と、走査線駆動回路６０と、データ線駆動回路７０と、電源回路２１０と、共通電位供給回路２２０とを備えている。
【００３５】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本の第１データ線５１（即ち、第１データ線Ｘ１ａ、Ｘ２ａ、…、Ｘｎａ）及びｎ本の第２データ線５２（即ち、第２データ線Ｘ１ｂ、Ｘ２ｂ、…、Ｘｎｂ）とが互いに交差するように設けられている。具体的には、ｍ本の走査線４０は、行方向（即ち、Ｘ方向）に延在し、ｎ本の第１データ線５１及び第２データ線５２は、列方向（即ち、Ｙ方向）に延在している。ｍ本の走査線４０とｎ本の第１データ線５１及び第２データ線５２との交差に対応して画素２０が配置されている。
【００３６】
コントローラ１０は、走査線駆動回路６０、データ線駆動回路７０、電源回路２１０及び共通電位供給回路２２０の動作を制御する。具体的には、コントローラ１０は、例えばクロック信号、スタートパルス等のタイミング信号を各回路に供給する。尚、コントローラ１０は、図２を参照して後述するスイッチ９２ｓ、９３ｓ、９４ｓ及び９５ｓのオンオフ状態も制御する。
【００３７】
走査線駆動回路６０は、コントローラ１０から供給されるタイミング信号に基づいて、走査線Ｙ１、Ｙ２、…、Ｙｍの各々に走査信号をパルス的に順次供給する。
【００３８】
データ線駆動回路７０は、コントローラ１０から供給されるタイミング信号に基づいて、第１データ線Ｘ１ａ、Ｘ２ａ、…、Ｘｎａに画像信号を供給する。画像信号は、ハイレベル（即ち、高電位レベル、例えば１５Ｖ）又はローレベル（即ち、低電位レベル、例えば０Ｖ）の２値的なレベルをとる。データ線駆動回路７０は更に、コントローラ１０から供給されるタイミング信号に基づいて、第２データ線Ｘ１ｂ、Ｘ２ｂ、…、Ｘｎｂに反転画像信号を供給する。反転画像信号は、画像信号の２値的なレベルを反転させた信号であり、例えば画像信号がハイレベルの場合は、反転画像信号はローレベルであり、画像信号がローレベルの場合は、反転画像信号はハイレベルである。即ち、反転画像信号もハイレベル又はローレベルの２値的なレベルをとる。例えば、画像信号が、ハイレベルとして１５Ｖの電位をとり、ローレベルとして０Ｖの電位をとる場合には、反転画像信号は、７．５Ｖを基準電位として極性を反転させた信号である。
【００３９】
電源回路２１０は、低電位電源線９２に低電位電源電位Ｖｓｓを供給し、第１の制御線９４に第１の制御電位Ｓ１を供給し、第２の制御線９５に第２の制御電位Ｓ２を供給する。尚、ここでは図示を省略するが、低電位電源線９２、第１の制御線９４及び第２の制御線９５の各々は、電気的なスイッチ（即ち、図２を参照して後述するスイッチ９２ｓ、９４ｓ及び９５ｓ）を介して電源回路２１０に電気的に接続されている。
【００４０】
共通電位供給回路２２０は、共通電位線９３に共通電位Ｖｃｏｍを供給する。尚、ここでは図示を省略するが、共通電位線９３は、電気的なスイッチ（即ち、図２を参照して後述するスイッチ９３ｓ）を介して共通電位供給回路２２０に電気的に接続されている。
【００４１】
尚、コントローラ１０、走査線駆動回路６０、データ線駆動回路７０、電源回路２１０及び共通電位供給回路２２０には、各種の信号が入出力されるが、本実施形態と特に関係のないものについては説明を省略する。
【００４２】
図２は、画素の電気的な構成を示す等価回路図である。
【００４３】
図２において、画素２０は、画素電極２１と、画素電極２１と互いに対向するように配置された共通電極２２と、画素電極２１及び共通電極２２間に設けられた電気泳動素子２３と、第１の選択用トランジスタ２４ａと、第２の選択用トランジスタ２４ｂと、第１のキャパシタ２７ａと、第２のキャパシタ２７ｂと、第１の制御用トランジスタ２６ａと、第２の制御用トランジスタ２６ｂとを備えている。尚、第１の選択用トランジスタ２４ａは、本発明に係る「第１のスイッチング素子」の一例であり、第２の選択用トランジスタ２４ｂは、本発明に係る「第３のスイッチング素子」の一例であり、第１のキャパシタ２７ａは、本発明に係る「第１のメモリ回路」の一例であり、第２のキャパシタ２７ｂは、本発明に係る「第２のメモリ回路」の一例であり、第１の制御用トランジスタ２６ａは、本発明に係る「第２のスイッチング素子」の一例であり、第２の制御用トランジスタ２６ｂは、本発明に係る「第４のスイッチング素子」の一例である。
【００４４】
第１の選択用トランジスタ２４ａは、アモルファス半導体を用いて、Ｎチャネル型のトランジスタとして形成されている。第１の選択用トランジスタ２４ａは、そのゲートが走査線４０に電気的に接続されており、そのソースが第１データ線５１に電気的に接続されており、そのドレインが第１のキャパシタ２７ａに電気的に接続されている。第１の選択用トランジスタ２４ａは、データ線駆動回路７０（図１参照）から第１データ線５１を介して供給される画像信号を、走査線駆動回路６０（図１参照）から走査線４０を介してパルス的に供給される走査信号に応じたタイミングで、第１のキャパシタ２７ａに入力する。これにより、第１のキャパシタ２７ａに画像信号が書き込まれる。
【００４５】
第１のキャパシタ２７ａは、画像信号を保持するための容量素子である。第１のキャパシタ２７ａの一方の容量電極は、第１の選択用トランジスタ２４ａのドレイン及び第１の制御用トランジスタ２６ａのゲートに電気的に接続されている。第１のキャパシタ２７ａの他方の容量電極は、低電位電源線９２に電気的に接続されている。
【００４６】
低電位電源線９２は、電源回路２１０（図１参照）から接地電位（或いはグランド電位、例えば０Ｖ）である低電位電源電位Ｖｓｓが供給可能に構成されている。低電位電源線９２は、スイッチ９２ｓを介して電源回路２１０に電気的に接続されている。スイッチ９２ｓは、コントローラ１０（図１参照）によってオン状態とオフ状態とが切り替えられるように構成されている。スイッチ９２ｓがオン状態とされることで、低電位電源線９２と電源回路２１０とが電気的に接続され、スイッチ９２ｓがオフ状態とされることで、低電位電源線９２は電気的に切断されたハイインピーダンス状態とされる。
【００４７】
第１の制御用トランジスタ２６ａは、アモルファス半導体を用いて、Ｎチャネル型のトランジスタとして形成されている。第１の制御用トランジスタ２６ａは、そのゲートが第１のキャパシタ２７ａ及び第１の選択用トランジスタ２４ａのドレインに電気的に接続されており、そのソースが第１の制御線９４に電気的に接続されており、そのドレインが画素電極２１に電気的に接続されている。第１の制御用トランジスタ２６ａは、電源回路２１０（図１参照）から第１の制御線９４を介して供給される第１の制御電位Ｓ１を、第１のキャパシタ２７ａに保持された画像信号の電位に応じて、画素電極２１に出力する。例えば、第１のキャパシタ２７ａに保持された画像信号がハイレベルである場合には、第１の制御用トランジスタ２６ａはオン状態とされ、第１の制御線９４から第１の制御電位Ｓ１が、オン状態とされた第１の制御用トランジスタ２６ａを介して画素電極２１に供給される。一方、第１のキャパシタ２７ａに保持された画像信号がローレベルである場合には、第１の制御用トランジスタ２６ａはオフ状態とされ、第１の制御線９４と画素電極２１との間はオフ状態とされた第１の制御用トランジスタ２６ａによって電気的に切断される。
【００４８】
第２の選択用トランジスタ２４ｂは、アモルファス半導体を用いて、Ｎチャネル型のトランジスタとして形成されている。第２の選択用トランジスタ２４ｂは、そのゲートが走査線４０に電気的に接続されており、そのソースが第２データ線５２に電気的に接続されており、そのドレインが第２のキャパシタ２７ｂに電気的に接続されている。第２の選択用トランジスタ２４ｂは、データ線駆動回路７０（図１参照）から第２データ線５２を介して供給される反転画像信号を、走査線駆動回路６０（図１参照）から走査線４０を介してパルス的に供給される走査信号に応じたタイミングで、第２のキャパシタ２７ｂに入力する。これにより、第２のキャパシタ２７ｂに画像信号が書き込まれる。
【００４９】
第２のキャパシタ２７ｂは、反転画像信号を保持するための容量素子である。第２のキャパシタ２７ｂの一方の容量電極は、第２の選択用トランジスタ２４ｂのドレイン及び第２の制御用トランジスタ２６ｂのゲートに電気的に接続されている。第２のキャパシタ２７ｂの他方の容量電極は、第１のキャパシタ２７ａの他方の容量電極と同様に、低電位電源線９２に電気的に接続されている。
【００５０】
第２の制御用トランジスタ２６ｂは、アモルファス半導体を用いて、Ｎチャネル型のトランジスタとして形成されている。第２の制御用トランジスタ２６ｂは、そのゲートが第２のキャパシタ２７ｂ及び第２の選択用トランジスタ２４ｂのドレインに電気的に接続されており、そのソースが第２の制御線９５に電気的に接続されており、そのドレインが画素電極２１に電気的に接続されている。第２の制御用トランジスタ２４ｂは、電源回路２１０（図１参照）から第２の制御線９５を介して供給される第２の制御電位Ｓ２を、第２のキャパシタ２７ｂに保持された反転画像信号の電位に応じて、画素電極２１に出力する。例えば、第２のキャパシタ２７ｂに保持された反転画像信号がハイレベルである場合には、第２の制御用トランジスタ２６ｂはオン状態とされ、第２の制御線９５から第２の制御電位Ｓ２が、オン状態とされた第２の制御用トランジスタ２６ｂを介して画素電極２１に供給される。一方、第２のキャパシタ２７ｂに保持された反転画像信号がローレベルである場合には、第２の制御用トランジスタ２６ｂはオフ状態とされ、第２の制御線９５と画素電極２１との間はオフ状態とされた第２の制御用トランジスタ２６ｂによって電気的に切断される。
【００５１】
ここで、本実施形態では特に、上述したように、第１の選択用トランジスタ２４ａ、第２の選択用トランジスタ２４ｂ、第１の制御用トランジスタ２６ａ及び第２の制御用トランジスタ２６ｂの各々は、Ｎチャネル型のトランジスタとして形成されている。よって、第１の選択用トランジスタ２４ａ、第２の選択用トランジスタ２４ｂ、第１の制御用トランジスタ２６ａ及び第２の制御用トランジスタ２６ｂを、アモルファス半導体を用いて容易に形成することが可能である。よって、電気泳動表示装置１の製造コストを低減できると共に、電気泳動表示装置１の信頼性を向上させることができる。
【００５２】
尚、このように本実施形態では、第１の選択用トランジスタ２４ａ、第２の選択用トランジスタ２４ｂ、第１の制御用トランジスタ２６ａ及び第２の制御用トランジスタ２６ｂ（以下、これらのトランジスタを「トランジスタ２４ａ、２４ｂ、２６ａ及び２６ａ」と適宜称する）の各々が、Ｎチャネル型のトランジスタとして形成される例を挙げているが、本実施形態の変形例として、トランジスタ２４ａ、２４ｂ、２６ａ及び２６ｂの各々は、Ｐチャネル型のトランジスタとして形成されてもよい。この場合には、トランジスタ２４ａ、２４ｂ、２６ａ及び２６ｂの全てをＰチャネル型のトランジスタとして容易に形成することができるので、製造コストを低減できると共に、信頼性を向上させることができる。
【００５３】
また、トランジスタ２４ａ、２４ｂ、２６ａ及び２６ｂの各々は、シリコン等の無機半導体材料を含んでなる無機トランジスタとして形成されてもよいし、有機半導体材料を含んでなる有機トランジスタとして形成されてもよい。
【００５４】
トランジスタ２４ａ、２４ｂ、２６ａ及び２６ｂを有機トランジスタとして形成する場合には、有機半導体材料としては、例えば、ポリ（３−アルキルチオフェン）、ポリ（３−ヘキシルチオフェン）（Ｐ３ＨＴ）、ポリ（３−オクチルチオフェン）、ポリ（２，５−チエニレンビニレン）（ＰＴＶ）、ポリ（パラ−フェニレンビニレン）（ＰＰＶ）、ポリ（９，９−ジオクチルフルオレン）（ＰＦＯ）、ポリ（９，９−ジオクチルフルオレン−コ−ビス−Ｎ，Ｎ’−（４−メトキシフェニル）−ビス−Ｎ，Ｎ’−フェニル−１，４−フェニレンジアミン）（ＰＦＭＯ）、ポリ（９，９−ジオクチルフルオレン−コ−ベンゾチアジアゾール）（ＢＴ）、フルオレン−トリアリルアミン共重合体、トリアリルアミン系ポリマー、ポリ（９，９−ジオクチルフルオレン−コ−ジチオフェン）（Ｆ８Ｔ２）のようなフルオレン−ビチオフェン共重合体等のポリマー有機半導体材料、またＣ６０、あるいは、金属フタロシアニンあるいはそれらの置換誘導体、あるいは、アントラセン、テトラセン、ペンタセン、ヘキサセン等のアセン分子材料、あるいは、α−オリゴチオフェン類、具体的にはクォーターチオフェン（４Ｔ）、セキシチオフェン（６Ｔ）、オクタチオフェンのような低分子系有機半導体のうち１種または２種以上を混合して用いることができる。
【００５５】
また、これら有機半導体材料を成膜してトランジスタ２４ａ、２４ｂ、２６ａ及び２６ｂの半導体部を形成する方法としては、蒸着法、ＣＶＤ法、キャスト法、引き上げ法、ラングミュアブロジェット法、スプレー法、インクジェット法、シルクスクリーン法等の一般的な成膜方法を用いることができる。
【００５６】
図２において、第１の制御線９４及び第２の制御線９５は、電源回路２１０からそれぞれ第１の制御電位Ｓ１及び第２の制御電位Ｓ２が供給可能に構成されている。第１の制御線９４は、スイッチ９４ｓを介して電源回路２１０に電気的に接続されており、第２の制御線９５は、スイッチ９５ｓを介して電源回路２１０に電気的に接続されている。スイッチ９４ｓ及び９５ｓは、コントローラ１０によってオン状態とオフ状態とが切り替えられるように構成されている。スイッチ９４ｓがオン状態とされることで、第１の制御線９４と電源回路２１０とが電気的に接続され、スイッチ９４ｓがオフ状態とされることで、第１の制御線９４は電気的に切断されたハイインピーダンス状態とされる。スイッチ９５ｓがオン状態とされることで、第２の制御線９５と電源回路２１０とが電気的に接続され、スイッチ９５ｓがオフ状態とされることで、第２の制御線９５は電気的に切断されたハイインピーダンス状態とされる。
【００５７】
第１の制御用トランジスタ２６ａは第１のキャパシタ２７ａに保持された画像信号によってオン状態及びオフ状態が切り替えられ、第２の制御用トランジスタ２６ｂは第２のキャパシタ２７ｂに保持された反転画像信号（即ち、画像信号の２値的なレベルを反転させた信号）によってオン状態及びオフ状態が切り替えられるので、第１の制御用トランジスタ２６ａと第２の制御用トランジスタ２６ｂとではオン状態及びオフ状態が互いに異なる。即ち、第１の制御用トランジスタ２６ａがオン状態の場合には、第２の制御用トランジスタ２６ｂはオフ状態となり、第１の制御用トランジスタ２６ａがオフ状態の場合には、第２の制御用トランジスタ２６ｂはオン状態となる。よって、複数の画素２０の各々の画素電極２１は、第１のキャパシタ２７ａに保持された画像信号及び第２のキャパシタ２７ｂに保持された反転画像信号に応じて、第１の制御線９４又は第２の制御線９５に択一的に電気的に接続される。この際、複数の画素２０の各々の画素電極２１は、スイッチ９４ｓ又は９５ｓのオンオフ状態に応じて、電源回路２１０から第１の制御電位Ｓ１又は第２の制御電位Ｓ２が供給される、或いはハイインピーダンス状態とされる。
【００５８】
より具体的には、ハイレベルの画像信号が供給される（言い換えれば、ローレベルの反転画像信号が供給される）画素２０については、第１の制御用トランジスタ２６ａ及び第２の制御用トランジスタ２６ｂのうち第１の制御用トランジスタ２６ａのみがオン状態となり、その画素２０の画素電極２１は、第１の制御線９４に電気的に接続され、スイッチ９４ｓのオンオフ状態に応じて電源回路２１０から第１の制御電位Ｓ１が供給され、又は、ハイインピーダンス状態とされる。一方、ローレベルの画像信号が供給される（言い換えれば、ハイレベルの反転画像信号が供給される）画素２０については、第１の制御用トランジスタ２６ａ及び第２の制御用トランジスタ２６ｂのうち第２の制御用トランジスタ２６ｂのみがオン状態となり、その画素２０の画素電極２１は、第２の制御線９５に電気的に接続され、スイッチ９５ｓのオンオフ状態に応じて電源回路２１０から第２の制御電位Ｓ２が供給され、又は、ハイインピーダンス状態とされる。
【００５９】
画素電極２１は、電気泳動素子２３を介して共通電極２２と互いに対向するように配置されている。
【００６０】
共通電極２２は、共通電位Ｖｃｏｍが供給される共通電位線９３に電気的に接続されている。共通電位線９３は、共通電位供給回路２２０（図１参照）から共通電位Ｖｃｏｍが供給可能に構成されている。共通電位線９３は、スイッチ９３ｓを介して共通電位供給回路２２０に電気的に接続されている。スイッチ９３ｓは、コントローラ１０によってオン状態とオフ状態とが切り替えられるように構成されている。スイッチ９３ｓがオン状態とされることで、共通電位線９３と共通電位供給回路２２０とが電気的に接続され、スイッチ９３ｓがオフ状態とされることで、共通電位線９３は電気的に切断されたハイインピーダンス状態とされる。
【００６１】
電気泳動素子２３は、電気泳動粒子をそれぞれ含んでなる複数のマイクロカプセルから構成されている。
【００６２】
次に、本実施形態に係る電気泳動表示装置の表示部の具体的な構成について、図３及び図４を参照して説明する。
【００６３】
図３は、本実施形態に係る電気泳動表示装置の表示部の部分断面図である。
【００６４】
図３において、表示部３は、素子基板２８と対向基板２９との間に電気泳動素子２３が挟持される構成となっている。尚、本実施形態では、対向基板２９側に画像を表示することを前提として説明する。
【００６５】
素子基板２８は、例えばガラスやプラスチック等からなる基板である。素子基板２８上には、ここでは図示を省略するが、図２を参照して上述した第１の選択用トランジスタ２４ａ、第２の選択用トランジスタ２４ｂ、第１のキャパシタ２７ａ、第２のキャパシタ２７ｂ、第１の制御用トランジスタ２６ａ、第２の制御用トランジスタ２６ｂ、走査線４０、第１データ線５１、第２データ線５２、低電位電源線９２、共通電位線９３、第１の制御線９４、第２の制御線９５等が作り込まれた積層構造が形成されている。この積層構造の上層側に複数の画素電極２１がマトリクス状に設けられている。
【００６６】
対向基板２９は、例えばガラスやプラスチック等からなる透明な基板である。対向基板２９における素子基板２８との対向面上には、共通電極２２が複数の画素電極２１と対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００６７】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されている。
【００６８】
マイクロカプセル８０は、画素電極２１及び共通電極２２間に挟持され、１つの画素２０内に（言い換えれば、１つの画素電極２１に対して）１つ又は複数配置されている。
【００６９】
図４は、マイクロカプセルの構成を示す模式図である。尚、図４では、マイクロカプセルの断面を模式的に示している。
【００７０】
図４において、マイクロカプセル８０は、被膜８５の内部に分散媒８１と、電気泳動粒子である複数の白色粒子８２と、複数の黒色粒子８３とが封入されてなる。マイクロカプセル８０は、例えば、５０ｕｍ程度の粒径を有する球状に形成されている。
【００７１】
被膜８５は、マイクロカプセル８０の外殻として機能し、ポリメタクリル酸メチル、ポリメタクリル酸エチル等のアクリル樹脂、ユリア樹脂、アラビアガム等の透光性を有する高分子樹脂から形成されている。
【００７２】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７３】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００７４】
黒色粒子８３は、例えば、アニリンブラック、カーボンブラック等の黒色顔料からなる粒子（高分子或いはコロイド）であり、例えば正に帯電されている。
【００７５】
このため、白色粒子８２及び黒色粒子８３は、画素電極２１と共通電極２２との間の電位差によって発生する電場によって、分散媒８１中を移動することができる。
【００７６】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００７７】
図３及び図４において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００７８】
更に、画素電極２１及び共通電極２２間における白色粒子８２及び黒色粒子８３の分布状態によって、白色と黒色との中間階調である、ライトグレー、グレー、ダークグレー等の灰色を表示することも可能である。また、白色粒子８２、黒色粒子８３に用いる顔料を、例えば赤色、緑色、青色等の顔料に代えることによって、赤色、緑色、青色等のカラー表示も可能となる。
【００７９】
次に、本実施形態に係る電気泳動表示装置の表示動作の一例について、図１及び図２に加えて図５及び図６を参照して説明する。
【００８０】
図５は、本実施形態に係る電気泳動表示装置の表示動作の一例を説明するためのフローチャートである。図６は、本実施形態に係る電気泳動表示装置の表示動作の一例を示すタイミングチャートである。
【００８１】
ここでは、表示動作の一例として、表示部３（図１参照）に表示すべき画像（以下、「正画像」と適宜称する）を表示させる際の動作について説明する。
【００８２】
図５及び図６において、先ず、走査線駆動回路６０、電源回路２１０、供給電位供給回路２２０等の各回路の電源がオンされる（ステップＳ１０）。これにより、ハイインピーダンス状態（ＨｉＺ）であった走査線４０や第１のキャパシタ２７ａ、第２のキャパシタ２７ｂに、期間Ｔ１においてローレベル（図中「Ｌｏ」として示す。例えば０Ｖ）の電圧が印加される。この際、スイッチ９２ｓはコントローラ１０によってオン状態とされている。尚、第２のキャパシタ２７ｂの電圧については、図示を省略している。また、期間Ｔ１においては、スイッチ９３ｓ、９４ｓ及び９５ｓは、コントローラ１０によってオフ状態とされ、共通電位線９３、第１の制御線９４及び第２の制御線９５の各々は、ハイインピーダンス状態とされている。尚、第２の制御線９５の電圧については、図示を省略している。
【００８３】
次に、第１のキャパシタ２７ａに画像信号を書き込むと共に、第２のキャパシタ２７ｂに反転画像信号を書き込む（ステップＳ２０）。即ち、期間Ｔ１に続く期間Ｔ２において、走査線駆動回路６０からパルス状の走査信号が走査線Ｙ１、Ｙ２、…、Ｙｍに順次に供給され、且つ、走査信号に応じて走査線Ｙ１、Ｙ２、…、Ｙｍのうち一の走査線に対応する一行の画素２０が選択される期間において、データ線駆動回路７０から複数の第１データ線５１（即ち、第１データ線Ｘ１ａ、Ｘ２ａ、…、Ｘｎａ）に画像信号が供給されると共に複数の第２データ線５２（即ち、第２データ線Ｘ１ｂ、Ｘ２ｂ、…、Ｘｎｂ）に反転画像信号が供給される。これにより、各画素２０では、第１の選択用トランジスタ２４ａ及び第２の選択用トランジスタ２４ｂが走査信号に応じてオン状態とされ、第１データ線５１から第１の選択用トランジスタ２４ａを介して第１のキャパシタ２７ａに画像信号が書き込まれると共に、第２データ線５２から第２の選択用トランジスタ２４ｂを介して第２のキャパシタ２７ｂに反転画像信号が書き込まれる。図６では、第１のキャパシタ２７ａにハイレベル（図中「Ｈｉ」として示す。例えば１５Ｖ）の画像信号が書き込まれる画素２０を例として示しており、期間Ｔ１にローレベルであった第１のキャパシタ２７ａの電圧は、期間Ｔ２においてハイレベルとなる。第１のキャパシタ２７ａにハイレベルの画像信号が書き込まれる画素２０では、第２のキャパシタ２７ｂにはローレベルの反転画像信号が書き込まれる（即ち、第２のキャパシタ２７ｂの電圧はローレベルとなる）。尚、第１のキャパシタ２７ａにローレベルの画像信号が書き込まれる（即ち、第１のキャパシタ２７ａの電圧がローレベルとなる）画素２０では、第２のキャパシタ２７ｂにはハイレベルの反転画像信号が書き込まれる（即ち、第２のキャパシタ２７ｂの電圧はハイレベルとなる）。
【００８４】
ここで、第１のキャパシタ２７ａにハイレベルの画像信号が書き込まれると共に第２のキャパシタ２７ｂにローレベルの反転画像信号が書き込まれると、第１のキャパシタ２７ａにハイレベルの画像信号が保持されている期間（或いは第２のキャパシタ２７ｂにローレベルの反転画像信号が保持されている期間）中は、第１の制御用トランジスタ２６ａはオン状態となり、且つ、第２の制御用トランジスタ２６ｂはオフ状態となる。一方、第１のキャパシタ２７ａにローレベルの画像信号が書き込まれると共に第２のキャパシタ２７ｂにハイレベルの反転画像信号が書き込まれると、第１のキャパシタ２７ａにローレベルの画像信号が保持されている期間（或いは第２のキャパシタ２７ｂにハイレベルの反転画像信号が保持されている期間）中は、第１の制御用トランジスタ２６ａはオフ状態となり、且つ、第２の制御用トランジスタ２６ｂはオン状態となる。
【００８５】
即ち、各画素２０では、第１のキャパシタ２７ａに保持された画像信号（及び第２のキャパシタ２７ｂに保持された反転画像信号）に応じて、第１の制御用トランジスタ２７ａ及び第２の制御用トランジスタ２７ｂのうち一方が択一的にオン状態となる。
【００８６】
尚、期間Ｔ２においては、期間Ｔ１と同様に、スイッチ９３ｓ、９４ｓ及び９５ｓは、コントローラ１０によってオフ状態とされたままであり、共通電位線９３、第１の制御線９４及び第２の制御線９５の各々は、ハイインピーダンス状態とされている。
【００８７】
次に、第１の制御線９５及び第２の制御線９４に第１の制御電位Ｓ１及び第２の制御電位Ｓ２を夫々供給することにより、各画素２０の画素電極２１に第１の制御電位Ｓ１又は第２の制御電位Ｓ２を供給する（ステップＳ３０）。即ち、期間Ｔ２に続く期間Ｔ３では、スイッチ９４ｓ及びスイッチ９５ｓがコントローラ１０によってオン状態とされ、電源回路２１０から第１の制御線９４に第１の制御電位Ｓ１が供給されると共に第２の制御線９５に第２の制御電位Ｓ２が供給される。これにより、第１の制御用トランジスタ２７ａがオン状態とされると共に第２の制御用トランジスタ２７ｂがオフ状態とされた画素２０では、画素電極２１に第１の制御用トランジスタ２７ａから第１の制御電位Ｓ１が供給される。一方、第１の制御用トランジスタ２７ａがオフ状態とされると共に第２の制御用トランジスタ２７ｂがオン状態とされた画素２０では、画素電極２１に第２の制御用トランジスタ２７ｂから第２の制御電位Ｓ２が供給される。図６では、第１の制御電位Ｓ１としてハイレベル（例えば１５Ｖ）で一定の電位が第１の制御線９４に供給される場合を例として示している。また、この例では、第２の制御電位Ｓ２としてローレベル（例えば０Ｖ）で一定の電位が第２の制御線９５に供給される。また、図６では、第１の制御用トランジスタ２７ａがオン状態とされると共に第２の制御用トランジスタ２７ｂがオフ状態とされた画素２０における画素電極２１の電圧を示しており、期間Ｔ３において、第１の制御線９４にハイレベルで一定の第１の制御電位Ｓ１が供給されると、画素電極２１の電圧はハイレベルとなる。尚、第１の制御用トランジスタ２７ａがオフ状態とされると共に第２の制御用トランジスタ２７ｂがオン状態とされた画素２０では、画素電極２１は第２の制御線９５に電気的に接続されるので、第２の制御線９５にローレベルで一定の第２の制御電位Ｓ２が供給されると、画素電極２１の電圧はローレベルとなる。
【００８８】
尚、期間Ｔ３においては、期間Ｔ１及びＴ２と同様に、スイッチ９３ｓは、コントローラ１０によってオフ状態とされたままであり、共通電位線９３は、ハイインピーダンス状態とされている。
【００８９】
次に、共通電極２２に共通電位Ｖｃｏｍを供給する（ステップＳ４０）。即ち、期間Ｔ３に続く期間Ｔ４では、スイッチ９３ｓがコントローラ１０によってオン状態とされ、共通電位供給回路２２０から共通電位線９３に共通電位Ｖｃｏｍとしてハイレベル（例えば１５Ｖ）の電位とローレベル（例えば０Ｖ）の電位とが所定の周期で繰り返すように供給される。つまり、コモン振り駆動が行われる。これにより、期間Ｔ４では、画素電極２１及び共通電極２２間に電圧（例えば１５Ｖ）が印加される期間と、画素電極２１及び共通電極２２間に電圧が印加されない期間とが繰り返される。ここで、複数の画素２０のうち、ハイレベルの画像信号が第１のキャパシタ２７ａに保持されている画素２０では、画素電極２１には第１の制御電位Ｓ１（ハイレベル、例えば１５Ｖ）が供給されている。一方、複数の画素のうち、ローレベルの画像信号が第１のキャパシタ２７ａに保持されている画素２０では、画素電極２１には第２の制御電位Ｓ２（ローレベル、例えば０Ｖ）が供給されている。従って、ハイレベルの画像信号が第１のキャパシタ２７ａに保持されている画素２０では、第１の制御電位Ｓ１（ハイレベル、例えば１５Ｖ）が供給されている画素電極２１と、共通電位線９３から供給される共通電位Ｖｃｏｍがローレベル（例えば０Ｖ）のときにおける共通電極２２との間の電位差に基づいて、黒色表示が行われる。一方で、ローレベルの画像信号が第１のキャパシタ２７ａに保持されている画素２０では、第２の制御電位Ｓ２（ローレベル、例えば０Ｖ）が供給されている画素電極２１と、共通電位線９３から供給される共通電位Ｖｃｏｍがハイレベル（例えば１５Ｖ）のときにおける共通電極２２との間の電位差に基づいて、白色表示が行われる。これにより、表示部３には、画像信号に応じた表示すべき正画像が表示される。
【００９０】
このように表示すべき正画像が表示部３に表示されると、走査線駆動回路６０、電源回路２１０、供給電位供給回路２２０等の各回路の電源がオフされる（ステップＳ５０）。これにより、期間Ｔ４に続く期間Ｔ５において、走査線４０や第１のキャパシタ２７ａ、第２のキャパシタ２７ｂ、共通電線９３、第１の制御線９４、第２の制御線９５、画素電極２１等の各種配線及び各種素子はハイインピーダンス状態（ＨｉＺ）とされる。これにより、画素電極２１と共通電極２２との間には電界が生じなくなるため、マイクロカプセル８０内の粒子は、次に新たな電界が生じるまで移動しなくなる。従って、表示部３においては、正画像の表示が維持される。
【００９１】
尚、期間Ｔ５の後には、表示部３に表示されている画像とは異なる他の画像を表示するために、ステップＳ１０からＳ５０に係る動作が行われてもよい。更に、正画像を表示する前に、図７を参照して後述する予備表示動作が行われてもよい。
【００９２】
次に、本実施形態に係る電気泳動表示装置の予備表示動作について、図１及び図２に加えて、図７を参照して説明する。
【００９３】
図７は、第１実施形態における、第１及び第２の制御電位の組み合わせと表示部における表示との関係を示す表である。
【００９４】
図５及び図６を参照して上述したように、本実施形態に係る電気泳動表示装置１では、電源回路２１０から、第１の制御線９４に第１の制御電位Ｓ１としてハイレベル（Ｈｉ）の電位が供給されると共に第２の制御線９５に第２の制御電位Ｓ２としてローレベル（Ｌｏ）の電位が供給されることで、表示部３に正画像が表示される。
【００９５】
ここで、本実施形態に係る電気泳動表示装置１によれば、第１の制御電位Ｓ１及び第２の制御電位Ｓ２を制御することにより、元画像から新画像に表示を切り替える際の予備表示動作（即ち、例えば全黒画像や全白画像、或いは新画像の反転画像などを表示部に短期間表示させる動作）を行うことができる。予備表示動作は、例えば図６において第１のキャパシタ２７ａ及び第２のキャパシタ２７ｂにそれぞれ画像信号、反転画像信号が書き込まれた後（即ち期間Ｔ２の後）、新画像（正画像）を表示するための期間Ｔ３及びＴ４の前に行われる。
【００９６】
図７に示すように、本実施形態に係る電気泳動表示装置１によれば、図５及び図６を参照して上述した表示動作により第１のキャパシタ２７ａ及び第２のキャパシタ２７ｂにそれぞれ画像信号、反転画像信号が書き込まれた後（即ち期間Ｔ２の後）に、例えば、共通電位供給回路２２０から共通電位線９３に共通電位Ｖｃｏｍとしてローレベル（例えば０Ｖ）で一定の電位が供給され、且つ、電源回路２１０から第１の制御線９４に第１の制御電位Ｓ１としてハイレベル（Ｈｉ）の電位が供給されると共に第２の制御線９５に第２の制御電位Ｓ２としてハイレベル（Ｈｉ）の電位が供給されることで、表示部３に全黒画像を表示することができる。より具体的には、ハイレベルの画像信号が第１のキャパシタ２７ａに保持されている画素２０では、ハイレベル（例えば１５Ｖ）の第１の制御電位Ｓ１が供給される画素電極２１と、ローレベル（例えば０Ｖ）の共通電位Ｖｃｏｍが供給される共通電極２２との間の電位差に基づいて、黒色表示を行うことができる。一方で、ローレベルの画像信号が第１のキャパシタ２７ａに保持されている画素２０では、ハイレベル（例えば１５Ｖ）の第２の制御電位Ｓ２が供給される画素電極２１と、ローレベル（例えば０Ｖ）の共通電位Ｖｃｏｍが供給される共通電極２２との間の電位差に基づいて、黒色表示を行うことができる。
【００９７】
更に、本実施形態に係る電気泳動表示装置１によれば、図５及び図６を参照して上述した表示動作により第１のキャパシタ２７ａ及び第２のキャパシタ２７ｂにそれぞれ画像信号、反転画像信号が書き込まれた後（即ち期間Ｔ２の後）に、例えば、共通電位供給回路２２０から共通電位線９３に共通電位Ｖｃｏｍとしてハイレベル（例えば０Ｖ）で一定の電位が供給され、且つ、電源回路２１０から第１の制御線９４に第１の制御電位Ｓ１としてローレベル（Ｌｏ）の電位が供給されると共に第２の制御線９５に第２の制御電位Ｓ２としてローレベル（Ｌｏ）の電位が供給されることで、表示部３に全白画像を表示することができる。より具体的には、ハイレベルの画像信号が第１のキャパシタ２７ａに保持されている画素２０では、ローレベル（例えば０Ｖ）の第１の制御電位Ｓ１が供給される画素電極２１と、ハイレベル（例えば１５Ｖ）の共通電位Ｖｃｏｍが供給される共通電極２２との間の電位差に基づいて、白色表示を行うことができる。一方で、ローレベルの画像信号が第１のキャパシタ２７ａに保持されている画素２０では、ローレベル（例えば０Ｖ）の第２の制御電位Ｓ２が供給されている画素電極２１と、ハイレベル（例えば１５Ｖ）の共通電位Ｖｃｏｍが供給されている共通電極２２との間の電位差に基づいて、白色表示を行うことができる。
【００９８】
加えて、本実施形態に係る電気泳動表示装置１によれば、第１のキャパシタ２７ａ及び第２のキャパシタ２７ｂにそれぞれ画像信号、反転画像信号が書き込まれた後（即ち期間Ｔ２の後）に、例えば、共通電位供給回路２２０から共通電位線９３に共通電位Ｖｃｏｍとしてハイレベル（例えば１５Ｖ）の電位とローレベル（例えば０Ｖ）の電位とが所定の周期で繰り返すように供給され、且つ、電源回路２１０から第１の制御線９４に第１の制御電位Ｓ１としてローレベル（Ｌｏ）の電位が供給されると共に第２の制御線９５に第２の制御電位Ｓ２としてハイレベル（Ｈｉ）の電位が供給されることで、表示部３に反転画像（即ち、期間Ｔ３及びＴ４において表示されるべき新画像（正画像）における白黒を入れ替えた画像）を表示することができる。より具体的には、ハイレベルの画像信号が第１のキャパシタ２７ａに保持されている画素２０では、ローレベル（例えば０Ｖ）の第１の制御電位Ｓ１が供給されている画素電極２１と、共通電位線９３から供給される共通電位Ｖｃｏｍがハイレベル（例えば１５Ｖ）のときにおける共通電極２２との間の電位差に基づいて、白色表示を行うことができる。一方で、ローレベルの画像信号が第１のキャパシタ２７ａに保持されている画素２０では、ハイレベル（例えば１５Ｖ）の第２の制御電位Ｓ２が供給されている画素電極２１と、共通電位線９３から供給される共通電位Ｖｃｏｍがローレベル（例えば０Ｖ）のときにおける共通電極２２との間の電位差に基づいて、黒色表示を行うことができる。これにより、表示部３に、正画像とは白黒が反転された反転画像を表示することができる。このように新画像（正画像）を表示する前に正画像の反転画像を表示することにより、新画像を表示する際の残像を生じ難くすることができる。
【００９９】
尚、予備表示動作においては、上記の黒色表示、白色表示、反転画像表示のうちいずれかを実施してもよいし、当該３種類の表示のうち２つ又は３つを連続して実施してもよく、或いは任意の表示を任意の順序で繰り返し実施してもよい。一例としては、白色表示、黒色表示、反転画像表示からなる予備表示動作の後、正画像を表示する。
【０１００】
図６における期間Ｔ１の開始時には、その前に実施された表示が維持された状態である。そこで、図６における期間Ｔ３及びＴ４において新画像が表示される前に上記の予備表示動作を行うことにより、マイクロカプセル８０内の白色粒子８２、黒色粒子８３を移動又は攪拌させてマイクロカプセル８０内から旧画像に基づく履歴を消去する（リセットする）ことができる。その後に期間Ｔ３及びＴ４において新画像を表示する際には、残像の少ない高品位な表示が行われる。
【０１０１】
以上のように、本実施形態に係る電気泳動表示装置１によれば、第１の制御電位Ｓ１及び第２の制御電位Ｓ２を制御することにより、第１のキャパシタ２７ａに保持された画像信号及び第２のキャパシタ２７ｂに保持された反転画像信号を書き換えることなく（即ち、図５を参照して上述したステップＳ２０に係る動作時に必要とされるような、走査線駆動回路６０から走査線４０への走査信号の供給やデータ線駆動回路７０から第１データ線５１への画像信号の供給及び第２データ線５２への反転画像信号の供給を行うことなく、つまり、各画素に全黒画像や全白画像或いは反転画像に係るデータを転送することなく）、例えば全黒画像や全白画像或いは反転画像等の予備表示動作に係る画像を表示部３に表示することができる。よって、消費電力を抑制しつつ、予備表示動作を行うことができる。従って、消費電力を低減できると共に、残像を低減できる。また、このように、第１の制御電位Ｓ１及び第２の制御電位Ｓ２を制御することにより、全黒画像、全白画像及び反転画像を、第１のキャパシタ２７ａに保持された画像信号及び第２のキャパシタ２７ｂに保持された反転画像信号を書き換えることなく、表示部３に表示させることができるので、予備表示動作を行うために、全黒画像、全白画像或いは反転画像に係るデータを例えば外部のメモリに保持しておく必要がない。
【０１０２】
次に、本実施形態に係る電気泳動表示装置による画像の部分書き換えについて、図１及び図２に加えて図８を参照して説明する。
【０１０３】
図８は、本実施形態に係る電気泳動表示装置による画像の部分書き換えを説明するための表である。
【０１０４】
本実施形態に係る電気泳動表示装置１によれば、書き換えるべき画素にハイレベルの画像信号を供給すると共に書き換えるべきでない画素にローレベルの画像信号を供給し、且つ、第１の制御電位Ｓ１及び第２の制御電位Ｓ２を制御することにより、元画像の一部を、例えば白色から黒色に（或いは黒色から白色に）書き換えることができる。
【０１０５】
ここでは、図５及び図６を参照して上述した表示動作により表示部３に表示された正画像の一部を書き換える場合を例として説明する。即ち、電源回路２１０から、第１の制御線９４に第１の制御電位Ｓ１としてハイレベル（Ｈｉ）の電位が供給されると共に第２の制御線９５に第２の制御電位Ｓ２としてローレベル（Ｌｏ）の電位が供給されることで、表示部３に表示された画像を、その一部を書き換えるべき元画像として説明する。
【０１０６】
図８に示すように、本実施形態に係る電気泳動表示装置１によれば、元画像の一部を白色から黒色に書き換える場合には、先ず、複数の画素２０のうち白色から黒色へ書き換えるべき画素における第１のキャパシタ２７ａにハイレベルの画像信号を書き込むと共に書き換えるべきでない画素における第１のキャパシタ２７ａにローレベルの画像信号を書き込む。これにより、書き換えるべき画素では、画素電極２１は、オン状態とされた第１の制御用スイッチ２６ａを介して第１の制御線９４と電気的に接続される。一方、書き換えるべきでない画素では、画素電極２１は、オン状態とされた第２の制御用スイッチ２６ｂを介して第２の制御線９５と電気的に接続される。
【０１０７】
次に、共通電位線９３に共通電位供給回路２２０から共通電位Ｖｃｏｍを供給し、且つ、第１の制御線９４に電源回路２１０から第１の制御電位Ｓ１としてハイレベル（Ｈｉ）の電位を供給すると共に、第２の制御線９５に電源回路２１０から第２の制御電位Ｓ２として共通電位Ｖｃｏｍと同一の電位を供給する（又は、スイッチ９５ｓをコントローラ１０によってオフ状態にすることにより、第２の制御線９５をハイインピーダンス状態（ＨｉＺ）にする）。これにより、書き換えるべき画素では、画素電極２１に第１の制御電位Ｓ１としてハイレベルの電位が供給され、画素電極２１と共通電極２２との間の電位差に基づいて表示が白色から黒色に書き換えられる。一方、書き換えるべきでない画素では、画素電極２１に第２の制御電位Ｓ２として共通電位Ｖｃｏｍと同一の電位が供給される（又は、画素電極２１はハイインピーダンス状態とされる）ので、画素電極２１と共通電極２２との間に電位差が生じないため、表示は変化しない（即ち、書き換えるべきでない画素のうち、黒色を表示していた画素は黒色を表示し続け、白色を表示していた画素は白色を表示し続ける）。
【０１０８】
また、元画像の一部を黒色から白色に書き換える場合には、先ず、上述した元画像の一部を白色から黒色に書き換える場合と同様に、複数の画素２０のうち黒色から白色へ書き換えるべき画素における第１のキャパシタ２７ａにハイレベルの画像信号を書き込むと共に書き換えるべきでない画素における第１のキャパシタ２７ａにローレベルの画像信号を書き込む。これにより、書き換えるべき画素では、画素電極２１は、オン状態とされた第１の制御用スイッチ２６ａを介して第１の制御線９４と電気的に接続される。一方、書き換えるべきでない画素では、画素電極２１は、オン状態とされた第２の制御用スイッチ２６ｂを介して第２の制御線９５と電気的に接続される。
【０１０９】
次に、共通電位線９３に共通電位供給回路２２０から共通電位Ｖｃｏｍを供給し、且つ、第１の制御線９４に電源回路２１０から第１の制御電位Ｓ１としてローレベル（Ｌｏ）の電位を供給すると共に、第２の制御線９５に電源回路２１０から第２の制御電位Ｓ２として共通電位Ｖｃｏｍと同一の電位を供給する（又は、スイッチ９５ｓをコントローラ１０によってオフ状態にすることにより、第２の制御線９５をハイインピーダンス状態にする）。これにより、書き換えるべき画素では、画素電極２１に第１の制御電位Ｓ１としてローレベルの電位が供給され、画素電極２１と共通電極２２との間の電位差に基づいて表示が黒色から白色に書き換えられる。一方、書き換えるべきでない画素では、画素電極２１に第２の制御電位Ｓ２として共通電位Ｖｃｏｍと同一の電位が供給される（又は、画素電極２１はハイインピーダンス状態とされる）ので、画素電極２１と共通電極２２との間の電位差が生じないため、表示は変化しない（即ち、書き換えるべきでない画素のうち、黒色を表示していた画素は黒色を表示し続け、白色を表示していた画素は白色を表示し続ける）。
【０１１０】
このように、本実施形態に係る電気泳動表示装置１によれば、書き換えるべき画素にハイレベルの画像信号を供給すると共に書き換えるべきでない画素にローレベルの画像信号を供給し、且つ、第１の制御電位Ｓ１及び第２の制御電位Ｓ２を制御することにより、元画像の一部を、例えば白色から黒色に（或いは黒色から白色に）書き換えることができる。
【０１１１】
尚、本実施形態に係る電気泳動表示装置１によれば、書き換えるべき画素にローレベルの画像信号を供給すると共に書き換えるべきでない画素にハイレベルの画像信号を供給し、且つ、第１の制御電位Ｓ１及び第２の制御電位Ｓ２を制御することにより、元画像の一部を、例えば白色から黒色に（或いは黒色から白色に）書き換えることもできる。この場合、共通電位線９３に共通電位供給回路２２０から共通電位Ｖｃｏｍを供給し、且つ、第１の制御線９４に電源回路２１０から第１の制御電位Ｓ１として共通電位Ｖｃｏｍと同一の電位を供給する（又は、スイッチ９４ｓをコントローラ１０によってオフ状態にすることにより、第１の制御線９４をハイインピーダンス状態にする）と共に、第２の制御線９５に電源回路２１０から第２の制御電位Ｓ２としてハイレベルの電位（或いはローレベルの電位）を供給する。
【０１１２】
このような本実施形態に係る電気泳動表示装置による画像の部分書き換えによれば、書き換えるべき画素については画素電極２１及び共通電極２２間に電圧が印加され、書き換えるべきでない画素については画素電極２１及び共通電極２２間に電圧が印加されない。よって、消費電力を低減できると共に、各電極間に電圧が印加されることに起因する電気泳動素子２３の劣化を低減できる。
【０１１３】
更に、本実施形態に係る電気泳動表示装置１によれば、電圧源がハイレベルとローレベルの２種類であっても上述した部分書き換えが可能であるので、電源回路２１０等の各回路を比較的シンプルな構成とすることができ、実践上大変有利である。
【０１１４】
次に、本実施形態に係る電気泳動表示装置のリーク電流の低減効果について、図９及び図１０を参照して説明する。
【０１１５】
図９は、本実施形態に係る電気泳動表示装置における互いに隣り合う画素を模式的に示す模式図である。図１０は、比較例における、図９と同趣旨の模式図である。
【０１１６】
図９では、表示部３において互いに隣り合う画素２０Ａ及び２０Ｂが示されている。尚、画素２０Ａ及び２０Ｂの各々は、図２を参照して上述した画素２０と同様に構成されており、添字「Ａ」及び「Ｂ」は、互いに隣り合う画素を識別するために便宜的に付したものである。同様に、画素２０Ａの各構成要素に添字「Ａ」を付し、画素２０Ｂの各構成要素に添字「Ｂ」を付してある。
【０１１７】
図９において、画素２０Ａは、画素電極２１Ａと、第１の選択用トランジスタ２４ａＡと、第２の選択用トランジスタ２４ｂＡと、第１のキャパシタ２７ａＡと、第２のキャパシタ２７ｂＡと、第１の制御用トランジスタ２６ａＡと、第２の制御用トランジスタ２６ｂＡとを備えている。画素２０Ｂは、画素電極２１Ｂと、第１の選択用トランジスタ２４ａＢと、第２の選択用トランジスタ２４ｂＢと、第１のキャパシタ２７ａＢと、第２のキャパシタ２７ｂＢと、第１の制御用トランジスタ２６ａＢと、第２の制御用トランジスタ２６ｂＢとを備えている。
【０１１８】
図９において、互いに隣り合う画素２０（即ち、画素２０Ａ及び２０Ｂ）は、互いに異なる色を表示している。即ち、画素２０Ａは、黒色を表示しており、画素２０Ｂは、白色を表示している。より詳細には、画素２０Ａの画素電極２１Ａは、第１のキャパシタ２７ａＡに保持されたハイレベル（Ｈｉ）の画像信号によってオン状態（Ｏｎ）とされた第１の制御用トランジスタ２６ａＡを介して第１の制御線９５から第１の制御電位Ｓ１としてハイレベル（Ｈｉ）の電位が供給されており、画素２０Ｂの画素電極２１Ｂは、第２のキャパシタ２７ｂＢに保持されたハイレベル（Ｈｉ）の反転画像信号によってオン状態（Ｏｎ）とされた第２の制御用トランジスタ２６ａＢを介して第２の制御線９４から第２の制御電位Ｓ２としてローレベル（Ｌｏ）の電位が供給されている。
【０１１９】
ここで、図１０に示す比較例では、互いに隣り合う画素５２０（即ち、画素５２０Ａ及び５２０Ｂ）は、互いに異なる色を表示している。画素５２０Ａは、画素スイッチング素子５２４Ａと、キャパシタ５２７Ａと、画素電極５２１Ａとを有している。画素５２０Ａでは、キャパシタ５２７Ａによって保持されたハイレベル（Ｈｉ）の画像信号によって画素電極５２１Ａの電位がハイレベルに維持されている。画素５２０Ｂは、画素スイッチング素子５２４Ｂと、キャパシタ５２７Ｂと、画素電極５２１Ｂとを有している。画素５２０Ｂでは、キャパシタ５２７Ｂによって保持されたローレベル（Ｌｏ）の画像信号によって画素電極５２１Ｂの電位がローレベルに維持されている。このとき、互いに隣り合う画素電極５２１Ａ及び５２１Ｂ間の電位差（言い換えれば、キャパシタ５２７Ａ及び５２７Ｂ間の電位差）によって、画素電極５２１Ａ及び５２１Ｂ間に、接着層３１やバインダー３０或いは電気泳動素子２３を介して、キャパシタ５２７Ａ及び５２７Ｂのリーク電流が発生してしまう（即ち、キャパシタ５２７Ａ及び５２７Ｂが画像信号或いは反転画像信号として保持していた電荷が失われてしまう）おそれがある。即ち、図１０に示す比較例に係る電気泳動表示装置によれば、互いに隣り合う画素５２０に互いに異なる色を表示する際、互いに隣り合う画素間で、キャパシタ５２７（即ち、キャパシタ５２７Ａ及び５２７Ｂ）のリーク電流が発生してしまうおそれがある。このため、画素電極５２１及び共通電極２２間に、適切な電圧を印加することができず、コントラストが低下してしまうおそれがある。
【０１２０】
しかるに、図９において、本実施形態に係る電気泳動表示装置１によれば、画素電極２１に第１のキャパシタ２７ａ及び第２のキャパシタ２７ｂのいずれも電気的に接続されていない（即ち、画素電極２１と第１のキャパシタ２７ａ及び第２のキャパシタ２７ｂとの間は電気的に切断されている）ので、画素電極２１Ａ及び２１Ｂ間に電位差が発生するときでも、第１のキャパシタ２７ａ及び第２のキャパシタ２７ｂのリーク電流は殆ど或いは全く発生しない。よって、第１のキャパシタ２７ａ及び第２のキャパシタ２７ｂに、画像信号及び反転画像信号を夫々供給しなおすリフレッシュ動作の回数が少なくて済む。従って、消費電力を低減できる。更に、本実施形態に係る電気泳動表示装置１によれば、画素電極２１の電位は、第１の制御線９４或いは第２の制御線９５を介して電源回路２１０から第１の制御電位Ｓ１或いは第２の制御電位によって制御されるので、画素電極５２１及び共通電極２２間に、適切な電圧を確実に印加することができ、コントラストを高めることができる。
【０１２１】
以上詳細に説明したように、本実施形態に係る電気泳動表示装置によれば、高品位な画像を表示できると共に、消費電力を低減できる。
【０１２２】
＜電子機器＞
次に、上述した電気泳動表示装置を適用した電子機器について、図１１及び図１２を参照して説明する。以下では、上述した電気泳動表示装置を電子ペーパー及び電子ノートに適用した場合を例にとる。
【０１２３】
図１１は、電子ペーパー１４００の構成を示す斜視図である。
【０１２４】
図１１に示すように、電子ペーパー１４００は、上述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１２５】
図１２は、電子ノート１５００の構成を示す斜視図である。
【０１２６】
図１２に示すように、電子ノート１５００は、図１１で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１２７】
上述した電子ペーパー１４００及び電子ノート１５００は、上述した実施形態に係る電気泳動表示装置を備えるので、消費電力が小さく、高品質な画像表示を行うことが可能である。
【０１２８】
尚、これらの他に、腕時計、携帯電話、携帯用オーディオ機器などの電子機器の表示部に、上述した本実施形態に係る電気泳動表示装置を適用することができる。
【０１２９】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置及び該電気泳動表示装置の駆動方法、並びに該電気泳動表示装置を備える電子機器もまた本発明の技術的範囲に含まれるものである。
【図面の簡単な説明】
【０１３０】
【図１】第１実施形態に係る電気泳動表示装置の全体構成を示すブロック図である。
【図２】第１実施形態に係る電気泳動表示装置の画素の構成を示す等価回路図である。
【図３】第１実施形態に係る電気泳動表示装置の表示部の部分断面図である。
【図４】マイクロカプセルの構成を示す模式図である。
【図５】第１実施形態に係る電気泳動表示装置の表示動作の一例を説明するためのフローチャートである。
【図６】第１実施形態に係る電気泳動表示装置の表示動作の一例を示すタイミングチャートである。
【図７】第１実施形態における、第１及び第２の制御電位の組み合わせと表示部における表示との関係を示す表である。
【図８】第１実施形態に係る電気泳動表示装置による画像の部分書き換えを説明するための表である。
【図９】第１実施形態に係る電気泳動表示装置における互いに隣り合う画素を模式的に示す模式図である。
【図１０】比較例における、図９と同趣旨の模式図である。
【図１１】電気泳動表示装置を適用した電子機器の一例たる電子ペーパーの構成を示す斜視図である。
【図１２】電気泳動表示装置を適用した電子機器の一例たる電子ノートの構成を示す斜視図である。
【符号の説明】
【０１３１】
１０…コントローラ、２０…画素、２１…画素電極、２２…共通電極、２３…電気泳動素子、２４ａ…第１の選択用トランジスタ、２４ｂ…第２の選択用トランジスタ、２６ａ…第１の制御用トランジスタ、２６ｂ…第２の制御用トランジスタ、２７ａ…第１のキャパシタ、２７ｂ…第２のキャパシタ、２８…素子基板、２９…対向基板、３０…バインダー、３１…接着層、４０…走査線、５１…第１データ線、５２…第２データ線、６０…走査線駆動回路、７０…データ線駆動回路、９３…共通電位線、９４…第１の制御線、９５…第２の制御線、２１０…電源回路、２２０…共通電位供給回路
【図１】
2010102299.tif 000003
【図２】
2010102299.tif 000004
【図３】
2010102299.tif 000005
【図４】
2010102299.tif 000006
【図５】
2010102299.tif 000007
【図６】
2010102299.tif 000008
【図７】
2010102299.tif 000009
【図８】
2010102299.tif 000010
【図９】
2010102299.tif 000011
【図１０】
2010102299.tif 000012
【図１１】
2010102299.tif 000013
【図１２】
2010102299.tif 000014